(57)【特許請求の範囲】
【請求項１】
直線状の基部を有し、基部を第１の回転軸として、動物の装着帯、装着衣に起伏自在に接続された環本体と、
起伏自在に揺動する環本体の自由端部に一体に設けられて、第１の回転軸に対して直交する向きに連結穴が形成された連結部と、
連結穴の形成された方向を第２の回転軸として、連結部に起伏自在に接続された接続リングを有したことを特徴とする、動物用の連結具。
【請求項２】
接続リングには、補助接続リングが直接またはチエンを介し連結されている請求項１に記載の動物用の連結具。
【請求項３】
直線状の基部を有し、基部を第１の回転軸として、動物の装着帯、装着衣に起伏自在に接続された環本体と、
起伏自在に揺動する環本体の自由端部に一体に設けられて、第１の回転軸に対して直交する向きに連結穴が形成された連結部と、
２つ以上のチエン環が互いに接続されてなり、一端のチエン環が連結穴の形成された方向を第２の回転軸として連結部に起伏自在に接続されたチエンと、
チエンの他端のチエン環に接続された接続リングと、を有したことを特徴とする、動物用の連結具。
【請求項４】
連結部は、環本体と一体に型成形された型成形部、環本体と一体に打ち抜き形成された打ち抜き形成部、線材が環本体と一体に折り曲げ形成された曲げ形成部、の１つである請求項１〜３のいずれか１項に記載の動物用の連結具。
【発明の詳細な説明】
【技術分野】
【０００１】
本発明は、主として犬や猫などの動物の首輪、胴輪、胴衣など動物への装着帯、装着衣に設けられて、引き紐や係留紐側を連結するのに用いられる動物用の連結具に関する。
【背景技術】
【０００２】
このような連結具は、従来、一般にナス環と呼ばれる引き紐や係留紐側の連結具を着脱できるように連結するもので、動物への装着帯や装着衣に起伏できるように設けられた連結環（下記特許文献１参照）や、動物への装着帯や装着衣に起伏できるように装着された環本体とこの環本体に起伏できるように連結された接続リングとからなり、環本体の接続リングとの連結穴を有した連結部を連結穴に直行する軸線まわりに回転自在とした連結環（下記特許文献２参照）が知られている。
【０００３】
特許文献１が開示する連結環は、首輪などに起伏できるように挟み込まれる直状部から連結側が円弧形状とされるいわゆるＤ環と称される形態が一般的で、簡単なため低コストであるが、これにナス環を接続した引き紐や係留紐側と動物側に与える自由度は低い。特許文献２が開示する連結環は、２部材よりなりコスト高にはなるが、環本体の連結部が自身の連結穴に直行する軸線まわりに回転自在であることにより、接続リングにナス環を接続した引き紐や係留紐側と動物側との間に与える自由度は高い。
【０００４】
これら引き紐や係留紐側と動物側との間に与える自由度は、引き連れや係留に対する動物の動作の動きやすさに影響し、自由度が高いことが望まれる。
【先行技術文献】
【特許文献】
【０００５】
【特許文献１】特開２００６−１４１２０５号公報
【特許文献２】特開２００６−９４８３６号公報
【発明の概要】
【発明が解決しようとする課題】
【０００６】
ところで、特許文献１、２が開示する連結環は、動物の引き連れや係留の双方に適用されるが、動物の係留は、動物を放置する時間が多くなりがちで、長時間留守をしていることも多々ある。このような放置状態で動物が恐怖な環境に遭遇するなどして驚き慌てて普段を上回る力で暴れたり、走り去ろうとし、想定外の大きな力がナス環側から連結環側に及ぶことが時としてある。
【０００７】
特許文献１が開示する連結環は継ぎ目が溶接接合されていて、想定外の大きな力によっても接合が外れたりしにくく、係留状態が不用意に解かれることはないが、引き紐や係留紐側と動物側に与える自由度が低い。このため、図４に例示すように、首輪ｄに設けられた連結環ｇとナス環ｋとの間に、暴れ回る動物の動きによって図５に示すような拗れが生じて、連結環ｇがナス環ｋの操作部ｃ１を押し動かして、係止ピンｃを後退させてフック部ａを開いてしまい、連結環ｇとナス環ｋとの連結が不用意に外れることがある。
【０００８】
特許文献２に記載の連結環は、環本体の連結部が環本体に対し回転自在であることにより、引き紐や係留紐側と動物側との間に与える自由度が特許文献１に記載の連結環に比べ高い分だけ、双方間の拗れによる連結環とナス環と連結が不要に外れにくいが、環本体に対し連結部が回転自在に組み合わされる部分に十分な強度を持たせにくく、想定外の大きな力が働くことには不安がある。
【０００９】
本発明は、このような問題点に鑑み、強度が十分な環本体を有して引き紐や係留紐側と自由度高く連結され拗れにくい動物用の連結具を提供することを目的とする。
【課題を解決するための手段】
【００１０】
上記の目的を達成するために、本発明の動物用の連結具は、直線状の基部を有し、基部を第１の回転軸として、動物の装着帯、装着衣に起伏自在に接続された環本体と、起伏自在に揺動する環本体の自由端部に一体に設けられて、第１の回転軸に対して直交する向きに連結穴が形成された連結部と、連結穴の形成された方向を第２の回転軸として、連結部に起伏自在に接続された接続リングを有したことを１つの特徴としている。
【００１１】
このような構成では、動物への装着帯、装着衣に起伏自在に接続される環本体と、連結穴を有した連結部とが一体な構造上、回転自在な連結部を持つ従来品に対し強度が向上する上、連結部の環本体と直交する連結穴に連結した接続リングと、環本体とが、互いに直交する向きに起伏する関係から、装着帯、装着衣側と引き紐や係留紐側との間に自由度を与えて、接続リングとこれに連結したナス環とを拗れにくくする。
【００１２】
上記において、さらに、接続リングは、補助接続リングが直接またはチエンを介し連結されているものとすることができる。
【００１３】
このような構成では、上記に加え、さらに、接続リングに補助接続リングが直接接続されるだけでも、装着帯、装着衣側と引き紐や係留紐側との間の自由度を高められるし、前記接続がチエンを介し行われると、チエンの屈曲自由度が加わって、自由度をさらに高められるので、自由度が高まる分だけ補助接続リングとナス環とが拗れるのをより防止できる。
【００１４】
本発明の動物用の連結具は、また、直線状の基部を有し、基部を第１の回転軸として、動物の装着帯、装着衣に起伏自在に接続された環本体と、起伏自在に揺動する環本体の自由端部に一体に設けられて、第１の回転軸に対して直交する向きに連結穴が形成された連結部と、２つ以上のチエン環が互いに接続されてなり、一端のチエン環が連結穴の形成された方向を第２の回転軸として連結部に起伏自在に接続されたチエンと、チエンの他端のチエン環に接続された接続リングと、を有したことを別の特徴としている。
【００１５】
このような構成では、動物への装着帯、装着衣に起伏自在に接続される環本体と、連結穴を有した連結部とが一体な構造上、回転自在な連結部を持つ従来品に対し強度が向上する上、連結部の環本体と直交する連結穴にチエンを介し連結した接続リングは、チエン一端のチエン環と環本体とが互いに直交する向きに起伏する関係に、チエンの屈曲自由度およびチエン、接続リング間の屈曲自由度が加わって、装着帯、装着衣側と引き紐や係留紐側との間に高い自由度を与え、接続リングとこれに連結したナス環とを拗れにくくする。
【００１６】
上記において、さらに、連結部は、環本体と一体に型成形された型成形部、環本体と一体に打ち抜き形成された打ち抜き形成部、線材が環本体と一体に折り曲げ形成された曲げ形成部、の１つとすることができる。
【００１７】
このような構成では、上記に加え、さらに、連結部が環本体と一体の型成形部であると、比較的自由な立体形状、連結部の連結穴の長さを十分にして連結される接続リングに対する向き規制性、を高めやすい。連結部が環本体と一体の打ち抜き形成部であると、成形しやすくなる上、ストレートな連結穴による連結した接続リングの向き規制性がなお得やすい。連結部が環本体と一体の線材による曲げ形成部であると、さらに形成しやすくなる。
【発明の効果】
【００１８】
本発明の１つの特徴の、動物用の連結具によれば、環本体と連結穴を有した連結部とが一体な構造上、回転自在な連結部を持つ従来品に対し強度が向上するので、係留中に働くことのある想定外の大きな力に十分耐えられる。また、連結部の環本体と直交する連結穴に連結した接続リングと、環本体とが、互いに直交する向きに起伏する関係から、装着帯、装着衣側と引き紐や係留紐側との間に自由度を与えて、接続リングとこれに連結したナス環とを拗れにくくし、拗れによって接続リングがナス環の操作部を押動して係止ピンを後退させてナス環が不用意に開かれて連結が外れるのを回避しやすい。従って、連結の安全を高められる。
【００１９】
上記に加え、さらに、接続リングに補助接続リングを直接接続して装着帯、装着衣側と引き紐や係留紐側との間の自由度を高め、前記接続をチエンを介し行ってさらに自由度を高められ、補助接続リングとナス環との拗れにより補助リングがナス環の操作部を押動して係止ピンを後退させてナス環が不用意に開かれて連結が外れるのを十分に回避し、連結の安全を高められる。
【００２０】
本発明の別の特徴の、動物用の連結具によれば、環本体と連結穴を有した連結部とが一体な構造上、回転自在な連結部を持つ従来品に対し強度が向上するので、係留中に働くことのある想定外の大きな力に十分耐えられる。また、連結部の環本体と直交する連結穴にチエンを介し連結した接続リングは、チエン一端のチエン環と環本体とが互いに直交する向きに起伏する関係に、チエンの屈曲自由度およびチエン、接続リング間の屈曲自由度が加わって、装着帯、装着衣側と引き紐や係留紐側との間に高い自由度を与えて、接続リングとこれに連結したナス環とを拗れにくくし、拗れによって接続リングがナス環の操作部を押動して係止ピンを後退させてナス環が不用意に開かれて連結が外れるのを十分に回避し、連結の安全を高められる。
【００２１】
上記に加え、さらに、連結部が環本体と一体の型成形部であると、比較的自由な立体形状、連結部の連結穴の長さを十分にして連結される接続リングに対する向き規制性、を高めやすく、強度、拗れ防止機能の高いものとなる。連結部が環本体と一体の打ち抜き形成部であると、成形しやすく、ストレートな連結穴による連結した接続リングの向き規制性がなお得やすいため、製品コストを低減しながら十分な強度と拗れ防止機能を発揮するし、連結部の扁平化によりチエンの直接連結がしやすい。連結部が環本体と一体の線材による曲げ形成部であると、強度や拗れ防止機能を確保しながらさらに製品コストを低減することができるし、連結部の扁平化および線条化によりチエンの直接連結に好適となる。
【図面の簡単な説明】
【００２２】
【図１】本発明の実施の形態にかかる動物用の連結具の１つの具体例を示す斜視図である。
【図２】本発明の実施の形態にかかる動物用の連結具の別の具体例を示す斜視図である。
【図３】本発明の実施の形態にかかる動物用の連結具の他の具体例を示す斜視図である。
【図４】従来の連結具による通常のナス環連結状態を示す要部の斜視図である。
【図５】同連結具によるナス環の連結外れの説明用斜視である。
【発明を実施するための形態】
【００２３】
本発明の実施の形態に係る猫や犬など動物用の連結具につき、図１〜図３に示す具体例を参照しながら詳細に説明し、本発明の理解に供する。
【００２４】
図１に示す本実施の形態の、動物用の連結具の具体例は、図１で例示する首輪１００や、特許文献２が開示する胴輪などを含む動物への装着帯、特許文献２が開示する胴衣といった動物への装着衣に、図１に示すように起伏自在に接続される環本体１と、この環本体１の自由端部１ａに一体に設けられて環本体１に直交する向きに連結穴２ａが形成した連結部２と、この連結部２の連結穴２ａに連結した接続リング３と、を有している。
【００２５】
このように、首輪１００で代表される動物への装着帯、装着衣に起伏自在に接続される環本体１と、連結穴２ａを有した連結部２とが一体な構造上、回転自在な連結部を持つ従来品に対し強度が向上する上、連結部２の環本体１と直交する連結穴２ａに連結した接続リング３と、環本体１とが、互いに直交する向き、つまり互いに直交する軸線Ａ、Ｂまわりに起伏する関係から、図示例とは別に、接続リング３に直接ナス環４にて接続される場合の図示しない装着帯、装着衣側と引き紐や係留紐側との間に自由度を与えて、接続リング３とこれに連結したナス環４とを拗れにくくする。
【００２６】
結果、環本体１と連結穴２ａを有した連結部２とが一体な構造上、回転自在な連結部を持つ従来品に対し強度が向上するので、係留中に働くことのある想定外の大きな力に十分耐えられる。また、連結部２の環本体１と直交する連結穴２ａに連結した接続リング３と、環本体１とが、互いに直交する向きに起伏する関係から、装着帯、装着衣側と引き紐や係留紐側との間に自由度を与えて、接続リング３とこれに連結したナス環４とを拗れにくくし、拗れによって接続リング３がナス環４の操作部５ａを押動して係止ピン５を後退させてナス環４が不用意に開かれて連結が外れるのを回避しやすい。従って、連結の安全を高められる。
【００２７】
特に、接続リング３には、図１に示す補助接続リング６が直接または図１に示すようにチエン７を介し連結されているものとすることができる。このように、接続リング３に補助接続リング６が直接接続されるだけでも、装着帯、装着衣側と引き紐や係留紐側との間の自由度を高められるし、前記接続がチエン７を介し行われると、さらに自由度を高められるので、自由度が高まる分だけ補助接続リング６とナス環４とが拗れるのをより防止できる。従って、接続リング３に補助接続リング６を直接接続して装着帯、装着衣側と引き紐や係留紐側との間の自由度を高め、前記接続をチエン７を介し行ってさらに自由度を高められ、補助接続リング６とナス環４との拗れにより補助接続リング６がナス環４の操作部５ａを押動して係止ピン５を後退させてナス環４が不用意に開かれて連結が外れるのをさらに回避しやすくなる。
【００２８】
さらに詳述すると、首輪１００は、表地１１と裏地１２とを縫合してベルト本体１３とし、表地１１のみをベルト本体１３から延長してベルト本体１３の裏面側に折り返した折り返し部１１ａを尾錠１４の連結バー１４ａに連結し、表地１１の折り返し片１１ｂをベルト本体１３の裏面に縫合してある。環本体１はベルト本体１３の表地１１の折り返し片１１ｂとベルト本体１３との間に基部１ｂを回転できるように挟み込んで環本体１が軸線Ａ上にある基部１ｂを中心に起伏できるようにしている。また、連結部２は環本体１の台座状自由端部１ａに球状をなして繋がり、双方の繋がり部の断面積を大きくして、環本体１および連結部２の一体強度が十分なようにしている。連結穴２ａは球状の連結部２によって長く形成されて接続リング３の起伏が安定するようにしている。つまり起伏方向以外への振れ動きを規制している。
【００２９】
また、環本体１は継ぎ目のない成形体であり、連結部２は環本体に一体成形されているので、連結の安全に対する強度がさらに高いものとなっている。接続リング３および補助接続リング６は、共に継ぎ目が溶接接合されて十分な強度を発揮する。チエン７の各チエン環も継ぎ目が溶接接合されて十分な強度を発揮する。特に、この場合、連結部２が環本体１と一体の型成形部とすることができ、これにより、比較的自由な立体形状、連結部２の連結穴２ａの長さを十分にして連結される接続リング３に対する向き規制性、を高めやすく、強度、拗れ防止機能の高いものとなる。
【００３０】
チエン７は、２連以上で有効であり、４連以下で十分であり、３連であると過不足なく自由度が与えられる。
【００３１】
図２に示す本実施の形態の、動物用の連結具の具体例は、首輪１００を始めとする動物への装着帯や装着衣に起伏できるように環本体１と、この環本体１の自由端部１ａに一体に設けられて環本体１に直交する向きに連結穴２ａが形成された連結部２と、この連結部の連結穴２ａに連結した補助接続リング６とを備えた点で、図１に示す具体例と共通している。しかし、補助接続リング６は環本体１の連結部２の連結穴２ａにチエン２１を介し連結した点で相違している。このために、連結穴２ａにはチエン２１の一端のチエン環を連結し、他端のチエン環に補助接続リング６を連結してある。
【００３２】
これにより、動物への装着帯、装着衣に起伏自在に接続される環本体１と、連結穴２ａを有した連結部２とが一体な構造上、回転自在な連結部を持つ従来品に対し強度が向上する上、連結部２の環本体１と直交する連結穴２ａにチエン２１を介し連結した補助接続リング６は、チエン２１一端のチエン環と環本体１とが互いに直交する向きに起伏する関係に、チエン２１の屈曲自由度およびチエン２１、補助接続リング６間の屈曲自由度が加わって、装着帯、装着衣側と引き紐や係留紐側との間に高い自由度を与え、補助接続リング６とこれに連結したナス環４とを拗れにくくする。
【００３３】
結果、環本体１と連結穴２ａを有した連結部２とが一体な構造上、回転自在な連結部を持つ従来品に対し強度が向上するので、係留中に働くことのある想定外の大きな力に十分耐えられる。また、連結部２の環本体１と直交する連結穴２ａにチエン２１を介し連結した補助接続リング６は、チエン２１一端のチエン環と環本体１とが互いに直交する向きに起伏する関係に、チエン２１の屈曲自由度およびチエン２１、補助接続リング６間の屈曲自由度が加わって、装着帯、装着衣側と引き紐や係留紐側との間に高い自由度を与えて、補助接続リング６とこれに連結したナス環４とを拗れにくくし、拗れによって補助接続リング６がナス環４の操作部５ａを押動して係止ピン５を後退させてナス環４が不用意に開かれて連結が外れるのを十分に回避し、連結の安全を高められる。
【００３４】
ここでも、チエン２１は、２連以上で有効であり、４連以下で十分であり、３連であると過不足なく自由度が与えられる。なお、本例での環本体１と連結部２とは、板材を打ち抜いて形成できる扁平形状としてあり、形状の単純化とコスト低減が図れる。この場合接続リング３、６も環本体１および連結部２と同じ打ち抜き形成できる扁平なものとし、さらに、厚さを同等にすることで溶接接合の省略によるコスト低減と意匠性の向上が図れる。それらのチエン２１との連結、チエン環の溶接接合前に行い、連結後にチエン環の溶接接合を行えばよい。特に、この場合、連結部２が環本体１と一体の打ち抜き形成部とすることができ、成形しやすく、ストレートな連結穴２ａによる連結した接続リング３の向き規制性がなお得やすいため、製品コストを低下しながら十分な強度と拗れ防止機能を発揮するし、連結部の扁平化によりチエン２１の直接連結がしやすい。
【００３５】
図３に示す本実施の形態の、動物用の連結具の具体例は、首輪１００を始めとする動物への装着帯や装着衣に起伏できるように環本体１と、この環本体１の自由端部１ａに一体に設けられて環本体１に直交する向きに連結穴２ａが形成された連結部２を備えた点で、図１、図２に示す具体例と共通している。しかし、連結部２が環本体１と一体の線材による曲げ形成部とした点で、図１、図２に示すいずれの具体例とも相違している。これにより強度や拗れ防止機能を確保しながらさらに製品コストを低減することができる。なお、他の部分は図１または図２に示す具体例の構成を適宜採用することができ、その採用した範囲で図１、図２に示す各具体例の特徴を発揮するものとなるし、連結部の扁平化および線条化によりチエン２１の直接連結に好適となる。
【産業上の利用可能性】
【００３６】
本発明は、動物への装着帯や装着衣に設けられる連結具に実用して、十分な連結強度、拗れ防止機能を発揮することができる。
【符号の説明】
【００３７】
１  環本体
１ａ  自由端部
１ｂ  基部
２  連結部
２ａ  連結穴
３  接続リング
４  ナス環
５ 係止ピン
５ａ  操作部
７、２１  チエン
１００  首輪
【図１】
0005604218.tif 000002
【図２】
0005604218.tif 000003
【図３】
0005604218.tif 000004
【図４】
0005604218.tif 000005
【図５】
0005604218.tif 000006